(57)【特許請求の範囲】
【請求項１】
先羽根用電磁石の通電が断たれることによって作動し先羽根に露光作動を行わせる先羽根用駆動部材と、後羽根用電磁石の通電が断たれることによって作動し後羽根に露光作動を行なわせる後羽根用駆動部材と、先羽根の露光作動の最終領域で先羽根用駆動部材の位置検出を行なう検出手段と、初期位置から作動して前記二つの駆動部材をセットし撮影時に先羽根の露光作動に先立って初期位置へ復帰するセット部材と、一端をセット部材に掛け該セット部材を初期位置へ復帰させるように付勢している復帰ばねと、を備えていて、後羽根用電磁石の吸引力不足によって後羽根用駆動部材が所定のタイミングより早く作動を開始したとき、後羽根用駆動部材と前記復帰ばねが係合して、後羽根用駆動部材とセット部材とがそれらの作動途中で停止し、先羽根用駆動部材の作動がセット部材によって阻止されて、前記検出手段が先羽根用駆動部材の位置検出をできないようにしたことを特徴とするカメラ用フォーカルプレンシャッタ。
【請求項２】
撮影時において、先羽根用電磁石の通電が断たれても、前記検出手段が所定の時間内に先羽根用駆動手段を検出しないときと、先羽根用駆動手段が先羽根用電磁石の吸引力不足によって所定のタイミングよりも早く作動を開始して、前記検出手段によって検出されたとき、異常作動が行なわれたことを表示装置に別々に表示させるようにしたことを特徴とする請求項１に記載のカメラ用フォーカルプレンシャッタ。
【発明の詳細な説明】
【０００１】
【発明の属する技術分野】
本発明は、撮影に際して、先羽根と後羽根とを同一方向へ順次作動させ、その両者間に形成されたスリットにより、露光を行なうようにしたカメラ用のフォーカルプレンシャッタに関する。
【０００２】
【従来の技術】
最近のフォーカルプレンシャッタの多くは、先羽根と後羽根が、各々１枚以上の羽根を有していて、露光作動を行なうに際しては、先羽根用電磁石と後羽根用電磁石に対する通電が順に断たれたとき、それによって保持力を解除された先羽根用駆動部材と後羽根用駆動部材によって作動させられるようになっている。そして、次の露光作動が行なわれる前までには、セット部材が初期位置から作動して、各駆動部材をセット位置へ作動させるようにしているが、セット部材が初期位置へ復帰する時機については二つのタイプがあり、次の撮影に際してレリーズが行なわれる前に復帰させてしまうものと、レリーズ後に復帰させるようにしたものとがある。
【０００３】
このように、最近のフォーカルプレンシャッタは各駆動部材の作動開始を電磁石によって制御しているため、断線等があって電磁石に通電されなかったり、電池の消耗によって所定の電流が供給されなかったり、電磁石の吸着面にゴミや汚れが付いていたり、電磁石と被吸着部材との組立精度が悪かったりすると、電磁石による所定の吸着保持機能が得られず、各駆動部材が、所定の時機を待たずに作動を開始してしまうことがある。そして、そのような異常作動が発生した場合、それを的確に検出できるようにした構成が、特開平８−３０４８７６号公報に記載されている。
【０００４】
そして、この公報に記載の構成（以下、従来例という）は、撮影時に、先羽根用電磁石の吸引力不足によって先羽根用駆動部材が所定のタイミングよりも早く作動を開始してしまった場合には、そのタイミングが早かったことを検出して、異常作動が行なわれたことを認識できるようにし、後羽根用電磁石の吸引力不足によって、後羽根用駆動部材が先羽根用駆動部材よりも先に作動を開始してしまった場合には、後羽根用駆動部材によって作動させられるアームが先羽根用駆動部材を押し、所定のタイミングよりも早く先羽根用駆動部材を作動させることによって、異常作動が行なわれたことを認識できるようにしている。
【０００５】
【発明が解決しようとする課題】
しかし、この従来例の場合は、後羽根用電磁石の吸引力不足によって後羽根用駆動部材が所定のタイミングより早く作動を開始してしまった場合には、先羽根用駆動部材を強制的に作動させるようにしているため、先羽根用駆動部材の異常作動を少なくするために先羽根用電磁石の吸引力を大きめに設定しておいた場合には、先羽根用駆動部材を的確に作動させることができなくなることがあり、また、反対に、先羽根用駆動部材を的確に作動させ得るようにすべく先羽根用電磁石の吸引力を必要最小限に設定した場合には、逆に先羽根用駆動部材の方の異常作動が生じ易くなってしまうという問題点がある。
【０００６】
また、上記の従来例の場合には、後羽根用電磁石の吸引力不足によって後羽根用駆動部材が所定のタイミングより早く作動を開始してしまった場合、薄くて軽い材料で製作されているアームが、先羽根用駆動部材を強制的に作動させるようにしているため、アームが変形したり後羽根を破損したりしてしまう可能性がある。また、上記の従来例の場合には、後羽根の一方のアームの面積を大きくしなければならないため、その分だけ、露光作動時における後羽根の走行速度が遅くなり、しかも、先羽根とのバランス調整が面倒になるという問題点がある。更に、この種のシャッタの場合には、特別な要求がない限り、先羽根と後羽根のリンク構成を全く同じにし、地板への組み付けに際してだけ、反対向きに取り付けるようにすると、コスト的に有利になることが知られているが、上記の従来例のように構成すると、そのようにしたい場合であってもできないという問題点がある。
【０００７】
本発明は、このような問題点を解決するためになされたものであり、その目的とするところは、先羽根及び後羽根の構成を変えることなく、且つ部品点数を増やすことなく、後羽根用駆動部材が異常作動を起こしたとき、先羽根用駆動部材の作動を途中で阻止することによってその異常を検出することができるようにしたカメラ用フォーカルプレンシャッタを提供することである。
【０００８】
【課題を解決するための手段】
上記の目的を達成するために、本発明のカメラ用フォーカルプレンシャッタは、先羽根用電磁石の通電が断たれることによって作動し先羽根に露光作動を行わせる先羽根用駆動部材と、後羽根用電磁石の通電が断たれることによって作動し後羽根に露光作動を行なわせる後羽根用駆動部材と、先羽根の露光作動の最終領域で先羽根用駆動部材の位置検出を行なう検出手段と、初期位置から作動して前記二つの駆動部材をセットし撮影時に先羽根の露光作動に先立って初期位置へ復帰するセット部材と、一端をセット部材に掛けて該セット部材を初期位置へ復帰させるように付勢している復帰ばねと、を備えていて、後羽根用電磁石の吸引力不足によって後羽根用駆動部材が所定のタイミングより早く作動を開始したとき、後羽根用駆動部材と前記復帰ばねが係合して、後羽根用駆動部材とセット部材とがそれらの作動途中で停止し、先羽根用駆動部材の作動がセット部材によって阻止されて、前記検出手段が先羽根用駆動部材の位置検出をできないようにする。
【０００９】
また、その場合、撮影時において、先羽根用電磁石の通電が断たれても、前記検出手段が所定の時間内に先羽根用駆動手段を検出しないときと、先羽根用駆動手段が先羽根用電磁石の吸引力不足によって所定のタイミングよりも早く作動を開始して、前記検出手段によって検出されたとき、異常作動が行なわれたことを表示装置に別々に表示させるようにすると好適である。
【００１０】
【発明の実施の形態】
本発明の実施の形態を、図１〜図６に示した実施例によって説明する。尚、図１は、本実施例のフォーカルプレンシャッタを被写体側から視た場合の略左半分だけを示した平面図であって、露光作動の終了直後の状態を示したものである。また、図２〜図６は、図１において、シャッタ地板の表面側に取り付けられている機構のみを示した平面図であって、図２は、図１と同様に、露光作動の終了直後の状態を示したものであり、図３はセット状態を示したものであり、図４はセット状態からセット部材が復帰作動を開始した直後の状態を示したものであり、図５は図４の状態からセット部材が初期位置へ正規に復帰した状態を示したものであり、図６は後羽根用駆動部材の異常作動後の停止状態を示したものである。
【００１１】
本実施例は、本発明を、周知のダイレクトタイプのフォーカルプレンシャッタに適用したものであるが、その説明に際しては、被写体側を表面側と称し、フィルム面等の結像面側を背面側と称することにする。また、本実施例においては、先羽根と後羽根が、いずれも複数枚の羽根を有しているため、それらの説明に際しては、先羽根群，後羽根群と称することにする。
【００１２】
そこで、先ず、図１及び図２を用いて本実施例の構成を説明する。シャッタ地板１には、その略中央部に長方形を横長にした開口部１ａが形成されている。しかし、図１においてはその左側の一部だけが示されている。また、周知のように、シャッタ地板１の背面側には、所定の間隔を空けて、図示していない中間板と補助地板が取り付けられており、シャッタ地板１と中間板との間に先羽根群の羽根室を形成し、中間板と補助地板との間に後羽根群の羽根室を形成している。そして、それらの中間板と補助地板にも、開口部１ａと類似の形状をした開口部が形成されていて、通常は、それらの開口部を重ね合わせて露光開口を規制するようにしているが、本実施例においては、開口部１ａの形状が露光開口を規制しているものとする。
【００１３】
開口部１ａの左側には、円弧状の二つの長孔１ｂ，１ｃが形成されている。そして、それらの長孔１ｂ，１ｃの下方部には、平面形状がＣ字状をしている周知の緩衝部材２，３が取り付けられている。また、シャッタ地板１の表面側には、三つの軸１ｄ，１ｅ，１ｆが立設され、背面側には四つの軸１ｇ，１ｈ，１ｉ，１ｊが立設されていて、軸１ｄと軸１ｇとが同軸上に配置され、軸１ｅと軸１ｈとが同軸上に配置されている。更に、シャッタ地板１には、図１に示されているような長孔１ｋも形成されている。
【００１４】
上記の軸１ｄには、先羽根用駆動部材４が回転可能に取り付けられている。この先羽根用駆動部材４は、合成樹脂製であって、軸４ａと、駆動ピン４ｂと、取付部４ｃと、押動部４ｄとを有していて、図示していない周知の先羽根用駆動ばねによって時計方向へ回転するように付勢されている。そして、背面側に設けられている軸４ａにはローラ５が取り付けられている。また、同じく背面側に設けられている駆動ピン４ｂは、シャッタ地板１の長孔１ｂを貫通しており、その断面形状は、根元部がＤ型であって先端部が小判型をしており、その根元部が、上記の緩衝部材２に当接するようになっている。
【００１５】
また、取付部４ｃは表面側に隆起するように形成されていて、その内部には、鉄片部材６が取り付けられている。図２においては、その取付け構成を分かり易くするために、取付部４ｃの一部を破断して示してある。即ち、鉄片部材６は、鉄片部６ａと、軸部６ｂと、頭部６ｃとを有していて、軸部６ｂの軸方向へ可動となっている。そして、圧縮ばね７によって、鉄片部６ａを取付部４ｃの外側へ押し出すように付勢されているが、頭部６ｃが取付部４ｃに当接することによって、図２の状態が保たれている。
【００１６】
シャッタ地板１の軸１ｅには、合成樹脂製の後羽根用駆動部材８が回転可能に取り付けられている。この後羽根用駆動部材８は、被押動部８ａと、駆動ピン８ｂと、取付部８ｃと、係合部８ｄと、溝８ｅとを有していて、図示していない周知の後羽根用駆動ばねによって時計方向へ回転するように付勢されている。この構成において、被押動部８ａは、溝８ｅが形成されていることによって、一見、撓むかのように見えるかも知れないが、そのようには構成されていない。また、背面側に設けられている駆動ピン８ｂは、長孔１ｃを貫通していて、根元部の断面形状が円形で、先端部の断面形状が小判型をしており、その根元部が上記の緩衝部材３に当接するようになっている。
【００１７】
また、取付部８ｃは、先羽根用駆動部材４の取付部４ｃと略同じ形状をしていて、その内部には、鉄片部材９が取り付けられている。そして、鉄片部材９は、図２に明示されているように、鉄片部９ａと、軸部９ｂと、頭部９ｃとを有していて、軸部９ｂの軸方向へ可動となっており、圧縮ばね１０によって、鉄片部９ａを取付部８ｃの外側へ押し出すように付勢されているが、頭部９ｃが取付部８ｃに当接することによって、図２の状態が保たれている。
【００１８】
シャッタ地板１の軸１ｆには、合成樹脂製のセット部材１１が回転可能に取り付けられている。このセット部材１１は、軸１ｆに嵌合させている筒部１１ａと、先羽根用駆動部材４に取り付けられたローラ５を押す押動部１１ｂと、後羽根用駆動部材８の被押動部８ａを押す押動部１１ｃと、被押動部１１ｄと、ばね掛け部１１ｅとを有している。また、筒部１１ａの周面には復帰ばね１２が巻回されている。この復帰ばね１２は、ねじりコイルばねであって、一方の腕部１２ａを後述する図示していない支持板のばね掛け部に掛け、他方の腕部１２ｂを上記のばね掛け部１１ｅに掛けており、腕部１２ｂの先端には折曲部１２ｃが形成されている。そして、セット部材１１は、復帰ばね１２によって反時計方向へ回転するように付勢されているが、セット部材１１の背面側に設けられ、上記の長孔１ｋに挿入されている図示していないピンが、長孔１ｋの下端に当接することによって図１及び図２の状態が保たれている。本明細書においては、セット部材１１のこのような位置を初期位置と称することにする。
【００１９】
ところで、図示していないが、シャッタ地板１の表面側には、軸１ｄ，１ｅ，１ｆの先端に、周知の支持板とプリント配線板とが重ねて取り付けられている。そして、その支持板には、シャッタ地板１側に、先羽根用電磁石と後羽根用電磁石が取り付けられているが、各図面上には、それらの鉄芯１３，１４のみを一点鎖線で長方形に示してある。また、プリント配線板には、スイッチが取り付けられているが、図１においてはそのスイッチを構成する二つの接片１５，１６を一点鎖線で示してある。周知のように、このスイッチは、本来、フラッシュ撮影時におけるシンクロスイッチとして設けられていて、先羽根用駆動部材４の押動部４ｄによってオン，オフを操作されるものであるが、後述の説明から分かるように、本実施例においては、各駆動部材４，８の異常作動時における検出スイッチの機能をも備えている。
【００２０】
次に、シャッタ地板１の背面側に配置されている先羽根群と後羽根群の構成を説明する。先ず、先羽根群は、シャッタ地板１の軸１ｇ，１ｉに対して回転可能に取り付けられた二つのアーム１７，１８と、それらの先端部に向けて順に枢支された４枚の羽根１９，２０，２１，２２で構成され、アーム１７，１８の最先端に枢支されている羽根２２がスリット形成羽根となっている。そして、アーム１７には周知のように孔が形成されていて、そこに、先羽根用駆動部材４の駆動ピン４ｂの先端部が嵌合している。また、後羽根群は、実質的に先羽根群を裏返した構成をしていて、シャッタ地板１の軸１ｈ，１ｊに対して回転可能に取り付けられた二つアーム２３，２４と、それらの先端部に向けて順に枢支された４枚の羽根２５，２６，２７，２８で構成され、羽根２８がスリット形成羽根となっている。そして、アーム２３に形成された孔に後羽根用駆動部材８の駆動ピン８ｂの先端部が嵌合している。
【００２１】
次に、本実施例の作動を説明する。図１及び図２は、露光作動の終了直後の状態を示している。従って、先羽根用駆動部材４の駆動ピン４ｂは、長孔１ｂの下端部に取り付けられた緩衝部材２に当接しており、先羽根群の羽根１９〜２２は重畳されて開口部１ａの下方位置に格納されている。また、後羽根用駆動部材８の駆動ピン８ｂは、長孔１ｃの下端部に取り付けられた緩衝部材３に当接しており、後羽根群の羽根２５〜２８は展開されて、開口部１ａを覆っている。また、セット部材１１は、既に説明したように初期位置にあるが、この状態においては、図２から分かるように、その押動部１１ｃと、後羽根用駆動部材８の被押動部８ａとの間隔が、押動部１１ｂと、先羽根用駆動部材４に取り付けたローラ５との間隔よりも大きくなっている。
【００２２】
このような図１及び図２に示した状態においてセット作動が開始される。その場合、先ず、図示していないカメラ本体側の部材がセット部材１１の被押動部１１ｄを押し、復帰ばね１２の付勢力に抗してセット部材１１に時計方向への回転を行わせる。それによって、先ず、セット部材１１の押動部１１ｂがローラ５を押すことによって、先羽根用駆動部材４を、図示していない先羽根用駆動ばねの付勢力に抗して反時計方向へ回転させ始める。しかし、その当初の段階においては、未だ、セット部材１１の押動部１１ｃが後羽根用駆動部材８の被押動部８ａに接触していないため、先羽根群の羽根１９〜２２のみが上方へ移動していくことになる。また、このとき、先羽根用駆動部材４の押動部４ｄによる接片１５に対する押圧力が解かれるので、二つの接片１５，１６が離れ、スイッチはオフ状態となる。
【００２３】
その後、先羽根群のスリット形成羽根２２と、後羽根群のスリット形成羽根２８との重なり量が所定量に達すると、セット部材１１の押動部１１ｃが後羽根用駆動部材８の被押動部８ａに接触し、以後は、後羽根用駆動部材８も、図示していない後羽根用駆動ばねの付勢力に抗して、反時計方向へ回転させられ、後羽根群の羽根２５〜２８を上方へ移動させていくことになる。そのため、二つの羽根群は、スリット形成羽根２２，２８同士の重なり量を余り変えることなく上方へ移動し、先羽根群の場合は羽根相互の重なりを小さくしてゆき、後羽根群の場合は羽根相互の重なりを大きくしてゆくが、その過程において、復帰ばね１２の折曲部１２ｃが、後羽根用駆動部材８の溝８ｅに入り込んでいく。
【００２４】
そして、各駆動部材４，８の取付部４ｃ，８ｃに取り付けられている鉄片部材６，９が、それらの鉄片部６ａ，９ａを各電磁石の鉄芯１３，１４に接触させ、圧縮ばね７，１０を若干圧縮させた状態になると、カメラ本体側の部材によって回転されていたセット部材１１の回転が停止され、シャッタのセット作動が終了する。図３は、そのようにして行われたセット作動の完了状態を示している。従って、この状態においては、各鉄片部材６，９の軸部６ｂ，９ｂは、その一部が取付部４ｃ，８ｃから外部へ突き出ている。また、図示されていないが、この状態においては、先羽根群の羽根１９〜２２は展開状態となって開口部１ａを覆っており、後羽根群の羽根２５〜２８は重畳状態となって開口部１ａの上方位置に格納されている。そして、セット部材１１は、次の撮影が行われるまで、この状態を維持される。
【００２５】
次に、撮影に際して、カメラのレリーズボタンが押されると、先ず、図示していない上記の各電磁石に通電され、駆動部材４，８の取付部４ｃ，８ｃに取り付けられた鉄片部材６，９が鉄芯１３，１４に吸着保持される。その後、カメラ本体側の図示していない部材が、セット部材１１の被押動部１１ｄから退いていくので、セット部材１１は、復帰ばね１２の付勢力によって反時計方向へ回転され、図１に示された初期位置へ復帰することになる。このとき、種々の理由によって、各鉄片部材６，９に対する各鉄芯１３，１４による保持力が十分に得られていないと、各駆動部材４，８は、セット部材１１が初期位置へ復帰するのに伴い、所定の時機を待たずに直ちに作動してしまうことになる。そのようにして行なわれる作動が異常作動であるが、先ずは、そのような異常作動をせず、正常に作動する場合について説明する。
【００２６】
上記のようにしてセット部材１１が初期位置へ復帰作動を開始すると、セット部材１１による各駆動部材４，８に対する押圧力が解除されていくので、各駆動部材４，８は、図示していない各駆動ばねの付勢力によって時計方向へ回転させられるが、僅かに回転したところで、先ず、後羽根用駆動部材８が、その取付部８ｃが鉄片部材９の頭部９ｃに当接することによって停止させられる。その状態が図４に示されている。このとき、先羽根用駆動部材４は、その取付部４ｃが鉄片部材６の頭部６ｃに未だ当接しておらず、復帰ばね１２の折曲部１２ｃは未だ後羽根用駆動部材８の溝８ｅの中にある。そして、この状態の直後には、先羽根用駆動部材４も、その取付部４ｃが鉄片部材６の頭部６ｃに当接して停止する。各駆動部材４，８と各羽根群にとっては、このようにして得られた位置が露光作動開始位置であり、その後、セット部材１１は、初期位置へ復帰して停止する。その状態が図５に示されている。
【００２７】
上記のようにしてセット部材１１が初期位置へ復帰した後、先ず、先羽根用電磁石に対する通電が断たれ、それから所定時間後には、後羽根用電磁石に対する通電が断たれる。それによって、先羽根用駆動部材４と後羽根用駆動部材８が、図示していない各駆動ばねの付勢力によって相次いで急速に時計方向へ回転させられるが、周知のように、露光時間が短い場合には、二つのスリット形成羽根２２，２８によってスリットを形成して露光作動が行なわれ、露光時間が長い場合やフラッシュ撮影を行なう場合には、先羽根群が開口部１ａを全開にしてから後羽根群を作動させるようにする。
【００２８】
そして、先羽根用駆動部材４は、駆動ピン４ｂが緩衝部材２に当接することによって停止させられ、後羽根用駆動部材８は、その駆動ピン８ｂが緩衝部材３に当接して停止させられるが、フラッシュ撮影を行なう場合には、先羽根群のスリット形成羽根２２が開口部１ａを完全に開いた段階で、先羽根用駆動部材４の押動部４ｄが接片１５を接片１６に接触させ、フラッシュを発光させる。このようにして行なわれた露光作動の終了状態が、図１及び図２に示された状態である。
【００２９】
次に、各駆動部材４，８が異常作動を行なった場合を説明するが、先ずは、先羽根用駆動部材４のみが異常作動を行なった場合について説明する。図３の状態において、カメラのレリーズボタンが押されると、各電磁石に対して通電が行なわれる。その後、上記したようにして、セット部材１１が反時計方向へ回転すると、図４に示された状態の直後には、セット部材１１の押動部１１ｃが後羽根用駆動部材８の被押動部８ａから離れるが、鉄片部材９が鉄芯１４に確実に吸着されていて、取付部８ｃが鉄片部材９の頭部９ｃに接触しているので、後羽根用駆動部材８は停止したままである。
【００３０】
他方、先羽根用駆動部材４は、図４に示された状態の直後に、取付部４ｃが鉄片部材６の頭部６ｃに当接する。しかし、鉄片部材６が鉄芯１３に十分に吸着保持されていない場合には、先羽根用駆動部材４は、先羽根用電磁石に対する通電の正規の遮断時機を待たずに、上記したセット部材１１の初期位置への復帰作動に追従して、先羽根用駆動ばねの付勢力によって時計方向への回転を続けてしまう。そのため、先羽根群のスリット形成羽根２２が開口部１ａを全開にした段階で、先羽根用駆動部材４の押動部４ｄが接片１５を接片１６に接触させ、シンクロスイッチをオン状態にしてしまう。
【００３１】
しかし、フラッシュ装置は、先羽根用電磁石に対する通電を遮断する正規の時機から機能し得るようになっているため、たとえフラッシュ装置を用いて撮影するモードになっていたとしても、フラッシュを発光させてしまうことがない。逆に、所定の時機よりも早くスイッチがオン状態になった場合には、その瞬間に異常検出回路が機能し、その後に、先羽根用電磁石に対する正規の遮断時機が到来しても、フラッシュ装置が機能しないようにしてしまう。更に、異常検出回路は、先羽根用駆動部材４の異常作動を検出すると、異常作動が行なわれたことを表示装置に表示し、撮影者に認識させるようにする。他方、後羽根用駆動部材８の方は、その後に正規の作動を開始させられるので、最終的には、図１に示された状態となる。
【００３２】
次に、後羽根用駆動部材８のみが異常作動を行なった場合について説明する。図３の状態において、カメラのレリーズボタンが押されると、各電磁石に対して通電が行なわれる。その後、セット部材１１が、反時計方向へ回転させられる。そして、図４に示された状態の直後には、セット部材１１の押動部１１ｃが後羽根用駆動部材８の被押動部８ａから離れていこうとするが、鉄片部材９が鉄芯１４に十分に吸着保持されていない場合には、後羽根用駆動部材８は、後羽根用電磁石に対する通電の正規の遮断時機を待たずに、セット部材１１の初期位置への復帰作動に追従して、後羽根用駆動ばねの付勢力によって時計方向への回転をしてしまう。しかし、その回転は、鉄片部材９が鉄芯１４から離れた後、係合部８ｄが復帰ばね１２の折曲部１２ｃに当接して停止させられる。このとき、後羽根用駆動ばねの付勢力は、駆動部材８を介して後羽根用復帰ばね１２の腕部１２ｂを略軸１ｆの方向へ押し付けるように作用するので、腕部１２ｂの撓みが最小限に抑えられ、後羽根用駆動部材８は好適に停止させられる。また、それによって、セット部材１１の初期位置への復帰作動も停止させられる。そのときの状態が図６に示されている。
【００３３】
他方、先羽根用駆動部材４は、鉄片部材６が鉄芯１３に確実に吸着保持されているので、図６の状態においては露光作動開始位置を確実に維持している。しかしながら、この状態においては、セット部材１１が初期位置への復帰途中で停止しているため、ローラ５の作動軌跡内には、セット部材１１の押動部１１ｂが臨んでいることになる。従って、その後、先羽根用電磁石に対する通電が正規の時機に遮断されると、先羽根用駆動部材４が露光作動を開始することになるが、その作動は、ローラ５が押動部１１ｂに当接することによって停止させられてしまう。そして、そのときには、異常検出回路が、先羽根用電磁石に対する通電を断ってから所定の時間が経過しても接片１５，１６が接触しないことを検出して、表示装置に異常作動が行なわれたことを表示する。
【００３４】
最後に、先羽根用駆動部材４と後羽根用駆動部材８の両方が異常作動を行なった場合について簡単に説明をしておく。この場合には、先羽根用駆動部材４と後羽根用駆動部材８が同時に作動を開始する場合と、僅かではあるが、どちらかが先に作動を開始してしまう場合とがある。しかし、いずれの場合であっても、後羽根用駆動部材８は、復帰ばね１２との係合によって停止させられることになるし、先羽根用駆動部材４は、その係合によって既に復帰作動の途中で停止させられているか停止させられる直前にあるセット部材１１によって停止させられる。従って、いずれにしても、この場合の検出態様は、上記した後羽根用駆動部材８だけが異常作動したときと同じになる。また、このことから、先羽根用駆動部材だけが異常作動した場合と、少なくとも後羽根用駆動部材が異常作動した場合とで、検出態様が異なることになるので、そのことを表示装置に別々に表示させることによって、より具体的に実態を認識し得るようにすることが可能になる。
【００３５】
尚、周知のように、フォーカルプレンシャッタには、露光作動開始直前の状態において、各駆動部材を各電磁石の吸引力によって直接保持してしまうようにしたダイレクトタイプと、係止部材によって保持しておき電磁石がその保持を解除するようにした係止タイプとが知られている。上記の実施例は、それらのうちのダイレクトタイプのシャッタの場合で説明したが、本発明は、係止タイプのものにも適用することが可能である。但し、係止タイプの場合には、セット部材が、レリーズ後であって露光作動の直前に、初期位置へ復帰する構成のものに限ることは言うまでもない。また、フォーカルプレンシャッタの中には、セット状態において、先羽根と後羽根の両方で露光開口を覆っているようにした二重遮光方式と称されているシャッタが知られているが、本発明は、そのような構成のシャッタにも適用することが可能である。更に、本発明は、フイルム使用のスチルカメラのみならず、デジタルスチルカメラ用のフォーカルプレンシャッタにも適用することが可能である。
【００３６】
【発明の効果】
以上のように、本発明によれば、後羽根のリンク構成を変形させる必要がなく、しかも、部品点数を増やすこともなく、後羽根用駆動部材が異常作動を起こしたとき、先羽根用駆動部材の作動を途中で阻止することによって、それを検出することができるようにしたので、製作上極めて有利である。また、先羽根用駆動部材だけが異常作動を起こしたときと、少なくとも後羽根用駆動部材が異常作動を起こしたときとを区別して検出することも可能となる。
【図面の簡単な説明】
【図１】被写体側から視て略左半分だけを示した実施例の平面図であって、露光作動を終了した直後の状態を示したものである。
【図２】図１においてシャッタ地板の表面側に取り付けられている機構のみを示した平面図である。
【図３】図２に示された機構のセット状態を示した平面図である。
【図４】図３のセット状態からセット部材が復帰作動を開始した直後の状態を示した平面図である。
【図５】図４の状態からセット部材が初期位置へ正規に復帰した状態を示した平面図である。
【図６】実施例における後羽根用駆動部材の異常作動後の停止状態を示した平面図である。
【符号の説明】
１                          シャッタ地板
１ａ                        開口部
１ｂ，１ｃ，１ｋ            長孔
１ｄ，１ｅ，１ｆ，１ｇ，１ｈ，１ｉ，１ｊ，４ａ  軸
２，３                      緩衝部材
４                          先羽根用駆動部材
４ｂ，８ｂ                  駆動ピン
４ｃ，８ｃ                  取付部
４ｄ、１１ｂ、１１ｃ        押動部
５                          ローラ
６，９                      鉄片部材
６ａ，９ａ                  鉄片部
６ｂ，９ｂ                  軸部
６ｃ，９ｃ                  頭部
７，１０                    圧縮ばね
８                          後羽根用駆動部材
８ａ，１１ｄ                被押動部
８ｄ                        係合部
８ｅ                        セット部材
１１ａ                      筒部
１１ｅ                      ばね掛け部
１２                        復帰ばね
１２ａ，１２ｂ              腕部
１２ｃ                      折曲部
１３，１４                  鉄芯
１５，１６                  接片（検出手段）
１７，１８，２３，２４      アーム
１９，２０，２１，２２，２５，２６，２７，２８  羽根
【図１】
0004409728.tif 000002
【図２】
0004409728.tif 000003
【図３】
0004409728.tif 000004
【図４】
0004409728.tif 000005
【図５】
0004409728.tif 000006
【図６】
0004409728.tif 000007